(57)【要約】【課題】    解決しようとする問題点は、ポータブルバイオトイレにおいて、汚物中の過剰な水分を加熱蒸発などで室内に発散させた場合は悪臭や結露が生じることであり、これを放置すれば分解に悪影響を生じ、また、ダクトで排気する装置を付設する場合はポータブルの機能を失う点にある。また、攪拌分解槽がトイレに固定されていて人工土壌の交換が煩雑な構造になっている点である。【解決手段】    底部横断面が下弦形状となる逆蒲鉾型攪拌分解槽の端部に水貯留槽を付設し、両槽の隔壁に水抜き小孔を穿ち、攪拌分解槽から水貯留槽へと水が流入する構造により、水貯留槽兼吸水材格納槽において余剰水を吸水材で吸水し廃棄できるようにユニットを構成し、また、攪拌分解槽と攪拌動力装置の接続部分を着脱自在式構造として、攪拌分解槽がトイレ本体から着脱自在になる構造により人工土壌の交換を極めて容易にせしめることを最も主要な特徴とする。【選択図】図４
2005211085.tif 000002
【特許請求の範囲】
【請求項１】
汚物分解式ポータブルトイレユニットにおいて、底部横断面が下弦形状となる逆蒲鉾型攪拌分解槽の端部に水貯留槽を付設し、両槽の隔壁に水抜き小孔を穿ち、攪拌分解槽から水貯留槽へと余剰水が流入する構造を特徴とするトイレユニット。
【請求項２】
請求項１において、水貯留槽と吸水材格納槽を兼用とし、貯留された余剰水を吸水材で吸水する方法。
【請求項３】
汚物分解式ポータブルトイレユニットにおいて、攪拌分解槽と攪拌動力装置の接続部分を着脱自在式構造として、攪拌分解槽がトイレ本体から着脱自在になる構造を特徴とするトイレユニット
【発明の詳細な説明】
【技術分野】
【０００１】
本発明は、汚物を分解処理するポータブルトイレットに関するものである。
【背景技術】
【０００２】
可搬式簡易トイレであるポータブルトイレは、小型軽量で移動簡単なものとして病人や要介護老人など歩行困難者が使用する目的でいわゆるオマル式のものが多数使用されている。しかし、オマル式のトイレは汚物の処理が煩わしく不快であるという理由から、オマル式にかわるポータブルトイレの開発が模索されてきた。
汚物を水洗や汲み取りで処理するのではなく、微生物で分解処理する方法の一般にバイオトイレとして知られているものがある。
汚物を微生物で分解処理するトイレの原理は、汚物を土中に埋めておくと微生物の働きで分解する自然現象と同様であるが、自然土壌の代わりにおが屑や木細片などの人工土壌を用いるものであり、理論的には北大の寺沢教授などが論文にも発表しているものである。既に富士山頂など汚物処理が困難な現場で実用に供されている。
バイオトイレにおいて解決すべき問題点は汚物に含まれる尿の処理である。尿中の尿素は便中の酵素によりアンモニアに変化し強烈な臭気を発する。また、汚物の質量構成では平均的には固形物１に対し水分が５の割合になる。バイオトイレは汚物と人工土壌を攪拌して発酵分解させるものであるが、この水分が過剰になると通気が不充分となり、微生物分解に有効な好気性発酵を阻害する。従って、過剰な水分を吸収するためには多量の人工土壌を必要とし、バイオトイレは比較的大型になることが要求されていた。
【０００３】
バイオトイレをポータブルトイレとして応用する場合、大きな問題は小型軽量化と水分処理の方法に関するものである。現在、ポータブルバイオトイレとして販売されているものは重量が重く、水分処理の方法としては加熱により蒸発させるものが一般的であるが、この方法だと蒸気が室内に充満し悪臭や結露の原因となるなどの問題があった。
【０００４】
また、蒸気をダクトで戸外に排出させる方法のものは装置が固定されるためポータブル式としては実用上不充分であった。
【０００５】
バイオトイレをポータブルにしたポータブルバイオトイレにおいても、一定の使用期間を経た人工土壌は更新或いは交換が必要になるが、現行のポータブルバイオトイレでは攪拌分解槽がトイレ本体に固定されていて、人工土壌の更新或いは交換の際は例えばスコップで掻きだすなど、交換作業が非常に煩雑になっているのが実情である。
【特許文献１】特許第３１６２０２５号公報
【発明の開示】
【発明が解決しようとする課題】
【０００６】
解決しようとする問題点は、ポータブルバイオトイレにおいて、汚物中の過剰な水分を加熱蒸発などで室内に発散させた場合は悪臭や結露が生じることであり、これを放置すれば分解に悪影響を生じ、また、ダクトで排気する装置を付設する場合はポータブルの機能を失う点にある。また、攪拌分解槽がトイレに固定されていて人工土壌の交換が煩雑な構造になっている点である。
【課題を解決するための手段】
【０００７】
本発明は、汚物分解式ポータブルトイレユニットにおいて、底部横断面が下弦形状となる逆蒲鉾型攪拌分解槽の一方の端部に水貯留槽を付設し、両槽の隔壁に水抜き小孔を穿ち、攪拌分解槽から水貯留槽へと水が流入する構造により、水貯留槽兼吸水材格納槽において余剰水を吸水材で吸水し廃棄できるように構成することを特徴とするユニットであって、また、攪拌分解槽と攪拌動力装置の接続部分を着脱自在式構造として、攪拌分解槽がトイレ本体から着脱自在になる構造により人工土壌の交換を極めて容易にせしめることを最も主要な特徴とする。
【発明の効果】
【０００８】
本発明のトイレユニットは既存のポータブルトイレに容易に組み込むことができ、攪拌分解槽に併設する水貯留槽兼吸水材格納槽において簡単に余剰水を吸水、廃棄できるという利点と、攪拌分解槽が着脱式であるため極めて容易に人口土壌の交換が可能となるという利点がある。
【発明を実施するための最良の形態】
【０００９】
本発明のトイレユニットをパイプ構造式や木構造式の通常型ポータブルトイレに組み込むことにより、汚物の生分解のための通気を阻害させることなく、過剰な水分を簡単に廃棄することができる。また、人工土壌の容易な交換という目的を、着脱式攪拌分解槽構造によりポータブルの機能を損なうことなく実現した。
【実施例１】
【００１０】
図１及び図２は、本発明装置の１実施例の構成を示す、それぞれ平面図、断面図及び側面図である。本発明装置の主要部分は底部横断面が下弦形状に形成された、いわゆる逆蒲鉾型であることを特徴とする攪拌分解槽１０、攪拌分解槽と底面を同一にする水貯留槽兼吸水材格納槽１２、攪拌器１３、水抜き小孔１１、取っ手１５及び攪拌分解槽開口部１４を一体とする部分と、駆動ギア１７、駆動モーター１８、ヒーター１９及びユニット取付フレーム１６を一体とする部分とから構成される。また、攪拌器１３と駆動ギア１７は図２中の攪拌器ジョイント部Ａで嵌合され駆動力を伝達するが、同位置で取り外すこともできる着脱可能な接続形態である。なお、ヒーター１９は微生物分解促進のための加熱用に、取っ手１５は攪拌分解槽１０の取り外し用に各々使用する。
【００１１】
図３、図４及び図５は本発明装置を、ユニット取付フレーム１６により椅子型トイレフレーム３０に装着した実施例を示す。実施の形態を図７と共に説明すると、便と尿からなる汚物が椅子型トイレ便座３１の開口部と攪拌分解槽開口部１４を通過して攪拌分解槽１０に落下すると、汚物は攪拌分解槽１０の内部に充填されている人工土壌４０と共に攪拌され、人工土壌に含まれる微生物の働きにより分解が進行する。人工土壌としては、オガ屑や木細片など微生物の棲家となり、かつ、空気層間隙と持つものが有効とされている。しかしながら、汚物中に多量に含まれる尿の水分は、一部が人工土壌に吸収され微生物分解のために消費されるものの、人工土壌の吸水力が飽和すると過剰な水分は余剰水となって攪拌分解槽下部に溜まることになる。
【００１２】
一般に、人工土壌中で消費される水分と自然蒸発分は流入量の約５０％と言われている。従来の方法では残りの５０％の余剰水を加熱蒸発させていたため室内に蒸気が充満したり結露の原因になったりしていた。また、排気ダクトを付設して屋外に排気したりしていた。
【００１３】
これに対し、本発明装置では、攪拌分解槽下部に溜まった余剰水４１は、本発明装置の特徴の一である攪拌分解槽１０の下弦状下部（図５中Ｃ付近の部分）に集水され、水抜き小孔１１を通過してＥ方向が示す水貯留槽兼吸水材格納槽１２に流れ込むので、ここで吸水材２０に吸水された余剰水４１は吸水材ごと容易に廃棄することが可能となる。図８には攪拌分解槽１０、水抜き小孔１１及び水貯留槽兼吸水材格納槽１２の配置関係と余剰水４１が攪拌分解槽下部に溜まった状態の例を図示している。
【００１４】
吸水材１１は吸水性の高い素材と消臭剤を含むものを使用し、取替え式で簡単に廃棄できるようになっている。汚物中の便は便器使用毎に分解されるので廃棄の必要がなく、余剰水は、吸水材格納槽の大きさにもよるが３乃至４日毎の吸水材取替えで済み、作業は極めて快適、簡単となる。
【実施例２】
【００１５】
図６の実施例２は、図３における実施例１における状態から、攪拌器ジョイント部Ａ点で攪拌分解槽１０と一体を形成する部分を駆動ギア１７から取り外し、Ｂ方向に引き出している実施形態を示している。攪拌分解槽１０と、駆動ギア１７、駆動モーター１８、ヒーター１９がユニット取付フレーム１６に組み付けられた部分から取り外すことにより、攪拌分解槽を小型軽量に設計することができ、交換が必要となった攪拌分解槽内部の人工土壌４０を容易に取り出し、交換し、攪拌分解槽清掃を簡単に行うことができるようになった。
【産業上の利用可能性】
【００１６】
全国で２５０万人といわれている要介護老人の９０％は、設備の整った介護施設や病院でケアを受けることができない居宅介護を受けている。本発明装置によれば、介護ケアの中でも煩雑で苦痛な作業である排泄物の処理を極めて簡単に行うことができるため、介護者及び要介護者の両方の苦痛を軽減することができる。また、介護設備は比較的使用期間の短い耐久消費財なので、個別所有よりもレンタルニーズが高くなることは明らかで、小型軽量でメンテナンスの簡単な本発明装置はかかる要求を満たすことができる。
【００１７】
本発明装置において、駆動モーター部をバッテリーや人力で駆動させる装置を応用することにより、小型船舶搭載用やアウトドアの他、災害時や非常時の緊急用としても用途が広がり、この分野の産業を形成することができる。
【００１８】
水洗トイレのように処理に水を使用しないので、環境保護に有意義である。また、人工土壌として使用するオガ屑や木細片などは森林の廃材を利用できるので、森林管理、保護の目的にも貢献することができる。さらに、排泄困難者の自力排泄を容易にすることで大人用使い捨てオムツの使用量が減り、使用済みゴミを減らしことでゴミ処理エネルギー低減の一助となる。
【図面の簡単な説明】
【００１９】
【図１】バイオトイレユニットの平面図である。
【図２】図１におけるＸーＸ断面図である。
【図３】バイオトイレユニットの実施例１を示す平面図である。
【図４】図３におけるＹーＹ断面図である。
【図５】図３における左側面図である。ただし、図面の複雑化を避けるため一部を省略している。
【図６】バイオトイレユニットの実施例２を示す、図４の変化図である。
【図７】バイオトイレユニットの実施例１の説明図である。
【図８】図７におけるＺ方向からの矢視図である。ただし、図面の複雑化を避けるため一部を省略している。
【符号の説明】
【００２０】
１０  攪拌分解槽
１１  水抜き小孔
１２  水貯留槽兼吸水材格納槽
１３  攪拌器
１４  攪拌分解槽開口部
１５  取っ手
１６  ユニット取付フレーム
１７  駆動ギア
１８  駆動モーター
１９  ヒーター
２０  吸水材
３０  椅子型トイレフレーム
３１  椅子型トイレ便座
４０  人工土壌
４１  余剰水
Ａ    攪拌器ジョイント部
Ｂ    攪拌分解槽１０を引き出す方向
Ｃ    攪拌分解槽１０の下弦状下部
Ｄ    汚物が入る方向
Ｅ    余剰水４１が流れる方向
【図１】
2005211085.tif 000003
【図２】
2005211085.tif 000004
【図３】
2005211085.tif 000005
【図４】
2005211085.tif 000006
【図５】
2005211085.tif 000007
【図６】
2005211085.tif 000008
【図７】
2005211085.tif 000009
【図８】
2005211085.tif 000010